(57)【要約】      （修正有）【課題】底面積の広い盤状の容器等の盤状物を、水平状態を保持して持ち運ぶことができる利便な包装用手提げ袋を提供する。【解決手段】底面部１の両側に各々谷折り線を介して右吊り下げ部４及び左吊り下げ部５を各々連設すると共に右吊り下げ部４及び左吊り下げ部５の両側縁に各々手掛け孔１０、１１を穿設し、その上で、右吊り下げ部４を内折した状態下で斜め線状の溶着ライン１２、１３を各々形成すると共に左吊り下げ部５をも同様に内折りした状態下で前記溶着ライン１２、１３と左右対称的に溶着ライン１５、１６を各々形成し、かつ、右吊り下げ部４及び左吊り下げ部５の中間に設定した山折り線１４、１７で各々折り返してなることを特徴とする。【選択図】図５
2014084171.tif 000002
【特許請求の範囲】
【請求項１】
底面部１の両側に各々谷折り線２、３を介して右吊り下げ部４及び左吊り下げ部５を各々連設すると共に右吊り下げ部４及び左吊り下げ部５の両側縁に各々手掛け孔１０、１１を穿設し、右吊り下げ部４を内折した状態下で斜め線状の溶着ライン１２、１３を各々形成すると共に左吊り下げ部５をも同様に内折りした状態下で前記溶着ライン１２、１３と左右対称的に溶着ライン１５、１６を各々形成し、かつ、右吊り下げ部４及び左吊り下げ部５の中間に設定した山折り線１４、１７で各々折り返してなることを特徴とする包装用手提げ袋。
【発明の詳細な説明】
【技術分野】
【０００１】
本発明は、軟質合成樹脂フィルム製の包装用手提げ袋に関するものである。
【背景技術】
【０００２】
従来、商店等において購買商品の持ち帰り用に合成樹脂フィルム製の包装用手提げ袋が広く使用されている。
然しながら、かかる従来の合成樹脂フィルム製の包装用手提げ袋にあっては、一般に底部を直線状の内折り又は溶着部とするものであって、水平な面状の底面部を持たない形態であることから、、ピザ、寿司、ケーキ、等を収容させた底面積の広い盤状の容器等の盤状物を水平状態を保持して持ち運ぶという場合には、きわめて不向きで困難であるという問題点があった。
【先行技術文献】
【特許文献】
【０００３】
【特許文献１】実公平０１−３６４０８号公報
【発明の概要】
【発明が解決しようとする課題】
【０００４】
本発明は、如上の従来における合成樹脂フィルム製の包装用手提げ袋における問題点を解消すべく案出したものであって、底面積の広い盤状の容器等の盤状物を水平状態を保持して持ち運ぶことができる包装用手提げ袋を提供することを目的とするものである。
【課題を解決するための手段】
【０００５】
本発明に係る包装用手提げ袋は、底面部１の両側に各々谷折り線２、３を介して右吊り下げ部４及び左吊り下げ部５を各々連設すると共に右吊り下げ部４及び左吊り下げ部５の両側縁に各々手掛け孔１０、１１を穿設し、右吊り下げ部４を内折した状態下で斜め線状の溶着ライン１２、１３を各々形成すると共に左吊り下げ部５をも同様に内折りした状態下で前記溶着ライン１２、１３と左右対称的に溶着ライン１５、１６を各々形成し、かつ、右吊り下げ部４及び左吊り下げ部５の中間に設定した山折り線１４、１７で各々折り返してなることを最も主要な特徴とするものである。
【発明の効果】
【０００６】
本発明に係る包装用手提げ袋は、ピザ、寿司、ケーキ、等を収容させた底面積の広い盤状の容器等の盤状物を水平状態で乗せ置き、その状態下で右吊り下げ部４及び左吊り下げ部５の側縁部における手掛け孔１２、１３に各々手指を掛けて上方に引き上げると、盤状物Ａの下で折り曲げられた状態で位置する右吊り下げ部４及び左吊り下げ部５は各々外方に引き出されつつ上方に伸びて、盤状物Ａを底面部１上に水平状態のまま自動的に包み込むことができ、そのまま盤状物Ａを水平状態を保持しつつ手提げて持ち運ぶことができる。
【図面の簡単な説明】
【０００７】
【図１】図１は、本発明に係る包装用手提げ袋の展開図である。
【図２】図２は、図１状態から右吊り下げ部を谷折りして溶着ラインを形成した状態の平面図である。
【図３】図３は、図２状態から右吊り下げ部を折り返した状態の平面図である。
【図４】図４は、図３状態から左吊り下げ部を谷折りして溶着ライン形成した状態の平面図である。
【図５】図５は、図４から左吊り下げ部を折り返した状態の本発明に係る包装用手提げ袋の平面図である。
【図６】図６は、盤状物を包装した手提げ持ち運び状態の斜視図である。
【発明を実施するための最良の形態】
【０００８】
本発明に係る包装用手提げ袋の実施例を図面に基づいて以下に説明する。
【０００９】
先ず、図１に例示するように熱可塑性合成樹脂製フィルムを素材として、中央に位置するやや縦長の八角形状の底面部１におけるその左右両側に谷折り線２、３を介して変則八角形状の右吊り下げ部４、及び、左吊り下げ部５を各々連設する。
【００１０】
ここのおいて、上記の底面部１は、包装せんとする盤状物Ａの底面積より一回り以上広い面積を有するように設定すると共に谷折り線２、３の上下両端を頂点とする直角三角形状の切欠部６、７、８、９を各々設け、かつ、右吊り下げ部４、及び、左吊り下げ部５の両側縁に手掛け孔１０、１１を穿設する。該手掛け孔１０、１１の周縁には、素材のフィルムを二重接着する等して補強することが望ましい。
【００１１】
図１の展開状態から、図２に例示するように右吊り下げ部４を谷折り線２で谷折りして底面部１上に重なり合うように折り曲げると共に両切欠部６、７の稜線近傍に各々これと平行するように溶着シーラー等をもって斜め線状の溶着ライン１２、１３を各々形成する。
【００１２】
その上で、図３に例示するように右吊り下げ部４の中間部において適宜に設定した山折り線１４をもって図上右方に折り返す。該山折り線１４は、右吊り下げ部４における手掛け孔１０が後述する包装せんとして乗せ置いた際の盤状物Ａより外方へはみ出す位置に臨むように想定して設定されれば足りるものである。
なお、ここにおいて、図３,図４、及び、図５における溶着ライン１２、１３は、便宜上透視した状態で図示しているものである。
【００１３】
引き続いて、左吊り下げ部５を上記した右吊り下げ部４における場合と左右対称の下で全く同様に谷折り線３で谷折りして折り曲げ、溶着ライン１５、１６を形成し、該左吊り下げ部５を想定した山折り線１７で図上左方に折り返す。これをもって、図４に例示する本発明に係る包装用手提げ袋を構成することができる。なお、図５において、溶着ライン１５、１６は、溶着ライン１２、１３と同様に便宜上透視した状態で図示しているものである。
【００１４】
次に、上記のように構成されてなる本発明に係る包装用手提げ袋の使用法について述べると、本発明に係る包装用手提げ袋を任意の台盤上に水平状態（図５
状態）で載置し、その中央部上に包装しようとする任意の盤状物Ａを乗置し、その状態から盤状物Ａの左右両側外方にはみ出る右吊り下げ部４における手掛け孔１０、及び、左吊り下げ部５における手掛け孔１１に各々手指を掛けて両手で上方に引き上げる。
【００１５】
すると、折り畳まれていた右吊り下げ部４、及び、左吊り下げ部５の各々は、盤状物Ａの下から各々引き出されて、図６に例示するように盤状物Ａを底面部１上に水平状態を保持した手提げ状態で自動的に包装することができ、そして、そのまま手提げて持ち運ぶことができる。
【産業上の利用可能性】
【００１６】
本発明に係る包装用手提げ袋は、ピザ、寿司、ケーキ、等を収容させた底面積の広い盤状の容器等の盤状物Ａを水平状態を保持した状態で手軽に包装できると共にそのまま持ち運びに供することのできる極めて利便な包装用手提げ袋として幅広く利用し得るものである。
【符号の説明】
【００１７】
１    底面部
２    谷折り線
３    谷折り線
４    右吊り下げ部
５    左吊り下げ部
６    切欠部
７    切欠部
８    切欠部
９    切欠部
１０    手掛け孔
１１    手掛け孔
１２    溶着ライン
１３    溶着ライン
１４    山折り線
１５    溶着ライン
１６    溶着ライン
１７    山折り線
Ａ    盤状物
【図１】
2014084171.tif 000003
【図２】
2014084171.tif 000004
【図３】
2014084171.tif 000005
【図４】
2014084171.tif 000006
【図５】
2014084171.tif 000007
【図６】
2014084171.tif 000008